(57)【要約】【課題】回路基板の導電部と基板接続用端子との接触信頼性が十分得られるようにした電子部品ユニットを提供する。【解決手段】それぞれ回路基板２の両端面２ａ，２ｂに沿って延在し相互間に挟持用間隙ｔを形成した一対のバネ弾性部３１ａ，３１ｂを有し、各バネ弾性部３１ａ，３１ｂにより回路基板２を挟持する挟持部３１と、挟持部３１から延出し相手方端子４１に接続されるコンタクト部３２と、が形成された基板接続用端子３を適用する。回路基板２には、両端面２ａ，２ｂ間を貫通する切り欠き部６が形成され、切り欠き部６の貫通面７と切り欠き部６の周縁側との間に、回路基板２の導電部２１が形成される。各バネ弾性部３１ａ，３１ｂは、各バネ弾性部３１ａ，３１ｂの一部から挟持方向に膨出した湾曲部３４を有し、その湾曲部３４の少なくとも膨出方向側が切り欠き部６に没入して係止し導電部２１と電気的接続する。【選択図】図１
2015173089.tif 000002
【特許請求の範囲】
【請求項１】
それぞれ回路基板の両端面に沿って当該回路基板の周縁から中央部側に延在し相互間に挟持用間隙を形成した一対のバネ弾性部を有し、当該各バネ弾性部により回路基板を両端面側から挟持する挟持部と、
前記挟持部から延出し相手方端子に接続されるコンタクト部と、が形成された基板接続用端子を備え、
前記回路基板には両端面間を貫通する切り欠き部が形成され、
前記切り欠き部の貫通面と、前記両端面のうち少なくとも何れか一方の面における切り欠き部の周縁側と、の間に回路基板の導電部が形成され、
前記挟持部の各バネ弾性部は、各バネ弾性部の一部から挟持方向に膨出した湾曲部を有し、その湾曲部の少なくとも膨出方向側が前記切り欠き部に没入して係止し前記導電部と電気的接続することを特徴とする電子部品ユニット。
【請求項２】
前記コンタクト部は、回路基板と相手方端子との間を仕切る仕切り壁を貫通し、当該コンタクト部の中央部に形成された返し部が、前記仕切り壁の相手方端子側に係止することを特徴とする請求項１記載の電子部品ユニット。
【請求項３】
前記の基板接続用端子を複数個有し、各基板接続用端子それぞれに対応する各切り欠き部が、バネ弾性部の延在方向に向かって互い違いの位置に形成されたことを特徴とする請求項１または２記載の電子部品ユニット。
【発明の詳細な説明】
【技術分野】
【０００１】
本発明は、例えばＬＥＤ照明ユニット等に係るものであって、基板接続用端子を有した電子部品ユニットに関するものである。
【背景技術】
【０００２】
ＬＥＤコネクタアッシー等のような電子部品ユニットは、電子部品（例えばＬＥＤ，ダイオード，抵抗器等）を実装可能な回路基板の導電部（例えば回路基板の配線パターン等）と、回路基板に対して電力を供給するコネクタ等の相手方端子とを、回路基板を挟持する挟持部を有した基板接続用端子を用いて電気的接続する構成が知られている。
【０００３】
例えば、相互間に挟持用間隙を形成した一対のバネ弾性部により回路基板を挟持する挟持部と、その挟持部から延出（コネクタ等の相手方端子側に延出）し相手方端子に接続されるコンタクト部と、が形成された基板接続用端子を備えた構成が挙げられる。また、前記挟持部の各バネ弾性部において、各バネ弾性部の挟持方向に屈曲した屈曲部や、回路基板の導電部のパッドと接触する接点部（パッドに圧接されるインデント）を形成し、回路基板においては、当該回路基板の所定位置に前記の各屈曲部が係止する係止孔（屈曲部の頂部が没入して係止する係止孔）を形成しておくことにより、回路基板の所定位置に基板接続用端子を安定的に保持させ易くした構成も知られている（例えば特許文献１）。
【０００４】
その他にも種々の構成（例えば特許文献２〜４）が検討されているが、基板接続用端子においては、前記のように回路基板の所定位置の係止孔に係止させて回路基板に対して保持させ易くするだけではなく、回路基板の導電部との接触信頼性を高めることも求められる。
【先行技術文献】
【特許文献】
【０００５】
【特許文献１】特開２０１２−１４６５６４号公報
【特許文献２】特開２００９−３７７９４号公報
【特許文献３】特開２０１２−８６６２０号公報
【特許文献４】特開２００９−２３９２５５号公報
【発明の概要】
【発明が解決しようとする課題】
【０００６】
本発明は、前記の事情を鑑みてなされたものであって、前記のように単に基板接続用端子を回路基板に保持させ易くするだけではなく、回路基板の導電部と基板接続用端子とにおいて十分な接触信頼性が得られるようにした電子部品ユニットの提供を目的とする。
【課題を解決するための手段】
【０００７】
この発明に係る電子部品ユニットは、前記の課題を解決できる創作であり、具体的に、この発明の一態様は、それぞれ回路基板の両端面に沿って当該回路基板の周縁から中央部側に延在し相互間に挟持用間隙を形成した一対のバネ弾性部を有し、当該各バネ弾性部により回路基板を両端面側から挟持する挟持部と、前記挟持部から延出し相手方端子に接続されるコンタクト部と、が形成された基板接続用端子を備え、前記回路基板には両端面間を貫通する切り欠き部が形成され、前記切り欠き部の貫通面と、前記両端面のうち少なくとも何れか一方の面における切り欠き部の周縁側と、の間に回路基板の導電部が形成され、前記挟持部の各バネ弾性部は、各バネ弾性部の一部から挟持方向に膨出した湾曲部を有し、その湾曲部の少なくとも膨出方向側が前記切り欠き部に没入して係止し前記導電部と電気的接続することを特徴とする。
【０００８】
また、前記コンタクト部は、回路基板と相手方端子との間を仕切る仕切り壁を貫通し、当該コンタクト部の中央部に形成された返し部が、前記仕切り壁の相手方端子側に係止するものでも良い。さらに、前記の基板接続用端子を複数個有し、各基板接続用端子それぞれに対応する各切り欠き部が、バネ弾性部の延在方向に向かって互い違いの位置に形成されたものであっても良い。さらにまた、前記切り欠き部の貫通面と、回路基板の両端面のうち少なくとも何れか一方の面における切り欠き部の周縁側と、の間にテーパー面が形成されたものであっても良い。
【発明の効果】
【０００９】
本発明に係る電子部品ユニットによれば、回路基板の導電部と基板接続用端子とにおいて十分な接触信頼性を得ることが可能となる。
【図面の簡単な説明】
【００１０】
【図１】本実施形態の電子部品ユニットをＬＥＤ照明ユニットに適用した一例を示した分解斜視図。
【図２】回路基板２に保持された端子３の斜視図。
【図３】図２の部分断面図（図８のＸ−Ｘ線断面図の一部に相当する部分断面図）。
【図４】図１の電子部品ユニット１の組み付けの一例を示す斜視図。
【図５】図１の電子部品ユニット１の組み付けの一例を示す斜視図。
【図６】図１の電子部品ユニット１の組み付けの一例を示す斜視図。
【図７】図１の電子部品ユニット１の組み付けの一例を示す斜視図。
【図８】図１の電子部品ユニット１の組み付けの一例を示す斜視図。
【図９】電子部品ユニット１の概略断面図（図８のＸ−Ｘ線断面図）。
【図１０】本実施形態の電子部品ユニットをＬＥＤ照明ユニットに適用した他例を示した分解斜視図。
【図１１】端子８の斜視図。
【図１２】図１０の電子部品ユニット１０の組み付けの一例を示す斜視図。
【図１３】電子部品ユニット１０の概略断面図（図８のＸ−Ｘ線断面図に相当する図）。
【図１４】回路基板２および端子３の変形例を示す斜視図。
【図１５】導電部２１の変形例を示す部分断面図（図８のＸ−Ｘ線断面図の一部に相当する部分断面図）。
【発明を実施するための形態】
【００１１】
本発明の実施形態に係る電子部品ユニットは、単に基板接続用端子を回路基板に保持させ易くした構成ではなく、回路基板の両端面間を貫通し基板接続用端子が係止する切り欠き部の貫通面と、前記両端面のうち少なくとも何れか一方の面における切り欠き部の周縁側と、の間に回路基板の導電部を形成したものである。
【００１２】
このように回路基板の導電部を形成したことにより、基板接続用端子が切り欠き部に係止するだけで、導電部と基板接続用端子との両者が互いに電気的接続されることになる。また、前記のように係止している限り、当該両者の電気的接続を保ち易くなり、前述した従来の構成と比較すると、当該両者間の接触信頼性が良好なものとなる。
【００１３】
＜電子部品ユニットの一例＞
本実施形態の電子部品ユニットは、前述のように基板接続用端子が回路基板を挟持し切り欠き部に係止するだけで、導電部と基板接続用端子とが互いに電気的接続される構成であれば良く、例えば自動車分野，コネクタ分野，照明分野，電線分野，回路分野等の各種分野で一般的に知られている技術を適用して適宜変更することが可能であり、その一例として以下に示す具体例が挙げられる。
【００１４】
まず、図１〜図９によって示される電子部品ユニット１は、本実施形態の適用例であるＬＥＤ照明ユニットの一例であって、ＬＥＤ素子Ｌ，ツェナーダイオードＤ，抵抗体Ｒ等の電子部品（以下、適宜まとめて電子部品ＬＤＲと称する）が実装された回路基板２の両端面２ａ，２ｂに沿って当該回路基板２の周縁から中央部側に延在し相互間に挟持用間隙（回路基板２を挟持できる間隙）ｔ１を形成した一対のバネ弾性部３１ａ，３１ｂを有し、当該各バネ弾性部３１ａ，３１ｂにより回路基板２の例えば周縁側を両端面２ａ，２ｂ側から挟持する挟持部３１と、その挟持部３１からコネクタ４側（相手方端子側）に延出し相手方端子であるコネクタ端子４１に接続されるコンタクト部３２と、が形成された一対の基板接続用の端子３Ａ，３Ｂ（以下、適宜まとめて端子３と称する）を備えている。
【００１５】
回路基板２および端子３は、回路基板２および端子３の挟持部３１を収容可能な空間部Ｃ１が形成されたケースＣと、回路基板２を収容したケースＣを封止するカバーＦと、コネクタ４を収容するための接続口Ｓ１が形成され当該コネクタ４と嵌合可能な接続部Ｓと、を備えたハウジングユニットＨ内に収容される。
【００１６】
回路基板２は、例えば矩形平板状の基板であって、両端面２ａ，２ｂのうち少なくとも何れか一方の面（図１等では端面２ａ）の中央部側には電子部品ＬＤＲが実装される。回路基板２の四方を包囲する周縁のうち、バネ弾性部３１ａ，３１ｂの延在方向に沿った互いに対向する一対の周縁２３ａ，２３ｂ側（図１等では周縁２３ａ，２３ｂのうちコネクタ４が装着される方向側）には、両端面２ａ，２ｂ間を貫通する切り欠き部６ａ，６ｂ（以下、適宜まとめて切り欠き部６）が互いに距離を隔てて形成され、それら切り欠き部６ａ，６ｂ間に括れ部６ｃが形成されている。また、当該両端面２ａ，２ｂのうち少なくとも何れか一方の面（図１等では端面２ａ）には、電子部品ＬＤＲと電気的に導通する所望パターンの導電部２１が形成されている。また、前記の導電部２１は、前記切り欠き部６の貫通面７と、前記両端面２ａ，２ｂのうち少なくとも何れか一方の面における切り欠き部６の周縁側と、の間にも、電子部品ＬＤＲと電気的に導通するように形成されている。
【００１７】
端子３Ａ，３Ｂにおいては、特に図２，図３に示すように、それぞれ挟持部３１に形成された一対のバネ弾性部３１ａ，３１ｂが、前述した相互間の挟持用間隙（回路基板２を挟持できる間隙）ｔ１を形成できるように、支持部（図中ではコ字状の支持部）３３によって支持されている。また、コンタクト部３２は、挟持部３１からコネクタ４側（相手方端子側）に延出（図２，図３等ではバネ弾性部３１ｂから延出）するように形成されている。各バネ弾性部３１ａ，３１ｂにおいては、例えば延板状に延在して成形されたものであって、当該バネ弾性部３１ａ，３１ｂの一部（図２，図３等ではバネ弾性部の延在方向の先端側）に当該一部から挟持方向に膨出した湾曲部３４がそれぞれ形成され、各湾曲部３４の少なくとも膨出方向側が、各々の切り欠き部６ａ，６ｂ内に没入し位置決めされて係止（例えば節度感を持って係止）し、複数個の接点部、例えば図３に示すように接点部３５を複数個（図３中では各湾曲部３４において２個ずつ）形成して、前記導電部２１と電気的接続できるように構成されている。
【００１８】
前述したような端子３とは異なる構成、例えば、挟持部３１において湾曲部３４（膨出方向側）が単に回路基板２の両端面２ａ，２ｂの導電部２１に係止して当該回路基板２を挟持するような構成の端子（すなわち、切り欠き部６内に没入しない構成；以下、従来構成端子と称する）の場合には、接点部３５の個数が少なくなり（例えば各湾曲部３４において１個ずつ）、接触信頼性が十分に得られない可能性がある。また、単に回路基板２の両端面２ａ，２ｂに係止する構成であるため、その係止位置からの位置ズレが生じ易く、回路基板２の保持性が低くなる可能性がある。さらに、バネ弾性部３１ａ，３１ｂ間の挟持用間隙ｔ１が拡張されたままの状態になり易く、応力緩和の影響を受ける可能性がある。
【００１９】
一方、端子３のように湾曲部３４の少なくとも膨出方向側が切り欠き部６内に没入し位置決めされて係止する構成よれば、複数個（例えば図３等では各湾曲部３４において２個ずつ）の接点部３５を確保し易く、接触信頼性が得られ易くなる。また、端子３の係止位置からの位置ズレが抑制され、回路基板２の保持性も得られ易くなる。さらに、湾曲部３４が切り欠き部６に没入し、弾性変形されたバネ弾性部３１ａ，３１ｂが弾性回復（例えば没入に応じて弾性回復）する方向に変形するため、応力緩和の影響が抑制されることになる。
【００２０】
なお、挟持用間隙ｔ１は、目的とする回路基板２の厚さに応じて適宜設定できるものであり。例えば回路基板２の厚さよりも小さく（例えば僅かに小さく）設定するなどにより、切り欠き部６内に没入して係止する各湾曲部３４において、当該切り欠き部６に対して圧接するように係止させることが可能となる。
【００２１】
ハウジングユニットＨのケースＣは、矩形平板状の底壁Ｃ２と、底壁Ｃ２の四方のうち互いに対向する二方（回路基板２の切り欠き部６側）を囲むように突出した周壁Ｃ３，Ｃ４と、を備えて回路基板２および端子３の挟持部３１を収容可能な空間部Ｃ１を形成している。空間部Ｃ１における底壁Ｃ２側（図１等では底壁Ｃ２の図示上側）には、回路基板２を当該回路基板２の端面２ｂ側にて支持する支持台Ｃ１３が設けられている。
【００２２】
カバーＦは、ケースＣの空間部Ｃ１を封止するものであって、ＬＥＤ素子Ｌ用の照明開口部Ｆａが形成されケースＣにおける周壁Ｃ３，Ｃ４の突出方向側の開口（図１等では図示上側の開口）Ｃ５を覆う天井蓋Ｆ１と、天井蓋Ｆ１の四方のうち接続部Ｓの反対側の周縁から底壁方向に突出し、ケースＣにおける接続部Ｓの反対側に位置する開口Ｃ６を覆う側壁蓋Ｆ２と、を有している。天井蓋Ｆ１や側壁蓋Ｆ２の周縁には、それぞれフック部Ｆ１１，Ｆ１２が突出形成され、ケースＣを封止する際に、当該ケースＣにおける各フック部Ｆ１１，Ｆ１２に対応した位置に形成されたフック係合穴Ｃ７１，Ｃ７２と係合させることにより、両者を互いに固定できるようになっている。照明開口部Ｆａにおいては、例えばレンズ等の透光性部材（例えば半球状の部材；図示省略）によって蓋をすることにより、ＬＥＤ素子Ｌからの光が当該透光性部材を介して外部に向けて出射する構造にすることが可能である。
【００２３】
接続部Ｓは、有底筒状側壁Ｓ２から成るものであって、接続口Ｓ１を介して後述のコネクタ４を有底筒状側壁Ｓ２内に収容して嵌合し、前記のコンタクト部３２とコネクタ端子４１とを接続できるように構成されている。有底筒状側壁Ｓ２の底壁側に位置する仕切り壁Ｓ２１には、前記のコンタクト部３２が貫通（例えば圧入によって貫通）可能な形状で当該貫通したコンタクト部３２を保持する保持孔Ｓ３が形成されている。この仕切り壁Ｓ２１により、ケースＣの空間部Ｃ１と接続部Ｓ内との間（すなわち、回路基板と相手方端子との間）が仕切られている。
【００２４】
コネクタ４は、電源側電線等（図示省略）が接続されたものであって、前記のコンタクト部３２に対応した相手方端子（図１等では雌型端子）であるコネクタ端子４１を有し、前記接続部Ｓ内に収容されて嵌合可能な略柱状のハウジング部によってコネクタ端子４１を包囲するように構成されている。このコネクタ４と前記接続部Ｓとの嵌合構造においては、例えばロックビークや可塑ロックアームを用いた周知の着脱自在な嵌合構造（例えば特許第４０３１３７４号のロックビーク４１や可塑ロックアーム２１）を構成することが挙げられる。具体例としては、コネクタ４において可塑ロックアーム４３を形成し、接続部Ｓの有底筒状側壁Ｓ２内にロックビーク（図示省略）を形成しておくことにより、可塑ロックアーム４３がロックビークを乗り越えるようにしてコネクタ４と前記接続部Ｓとが嵌合する構造が挙げられる。
【００２５】
＜電子部品ユニット１の組み付け例＞
まず、図４中の白抜き矢印（以下、単に矢印）に示すように、端子３のコンタクト部３２を移動させて、ハウジングユニットＨのケースＣにおける空間部Ｃ１側から接続部Ｓの保持孔Ｓ３に対し圧入し、コンタクト部３２の先端側が有底筒状側壁Ｓ２の軸心方向に沿って延在するように貫通させる。これにより、例えば図５に示すように、端子３が接続部Ｓの保持孔Ｓ３によって保持される。本実施例の端子３の挟持部３１は、前記のようにコンタクト部３２を保持孔Ｓ３に圧入して貫通させる際のストッパーとして機能（貫通し過ぎを防止し保持孔Ｓ３に対する被保持位置が位置ズレしないように機能）し、仕切り壁Ｓ２１から空間部Ｃ１へ突出した状態となる。
【００２６】
次に、図５中の矢印で示すように、回路基板２を、当該回路基板２の切り欠き部６ａ，６ｂ側の周縁側からケースＣの空間部Ｃ１へ進入するように移動させていき、端子３のバネ弾性部３１ａ，３１ｂ間を弾性変形により拡張しながら、回路基板２の切り欠き部６ａ，６ｂ側の周縁側を当該バネ弾性部３１ａ，３１ｂ間に受容させ、切り欠き部６ａ，６ｂ上に湾曲部３４が位置するまで移動させて、回路基板２を支持台Ｃ１３に支持させる。これにより、例えば図６（または図２等）に示すように、前記のように弾性変形されたバネ弾性部３１ａ，３１ｂが弾性復帰する方向に変形し、各湾曲部３４の少なくとも膨出方向側が、各々の切り欠き部６ａ，６ｂ内に没入して係止し、端子３と導電部２１とが互いに電気的接続することになる。端子３の挟持部３１において、例えば図６（または図２等）のように湾曲部３４が切り欠き部６に係止した状態で支持部３３が回路基板２の周縁に係止するように構成したことにより、支持部３３をストッパーとして機能させることができる。
【００２７】
次に、図６中の矢印で示すように、ケースＣの空間部Ｃ１を覆うようにカバーＦを移動させ、そのカバーＦに形成された各フック係合穴Ｃ７１，Ｃ７２を、各々対応した位置におけるケースＣのフック係合穴Ｃ７１，Ｃ７２と係合させることにより、例えば図７に示すように、ケースＣとカバーＦとを互いに固定することができる。
【００２８】
そして、図７中の矢印で示すように、コネクタ４を、接続口Ｓ１を介して接続部Ｓの有底筒状側壁Ｓ２内に収容するように移動させ、接続部Ｓのコンタクト部３２をコネクタ４のコネクタ端子４１で受容するように、例えば図８および図９に示すように接続部Ｓと嵌合させる。これにより、回路基板２に対して電力を供給することができる。
【００２９】
＜電子部品ユニットの他例＞
図１０〜図１３によって示される電子部品ユニット１０は、本実施形態の適用例であるＬＥＤ照明ユニットの他例であって、電子部品ユニット１と同様の構成であり、端子３の替わりに一対の端子８Ａ，８Ｂ（以下、適宜まとめて端子８と称する）を適用したものである。なお、この電子部品ユニット１０において、図１〜図９に示したものと同様のものには同一符号を用いる等により、その詳細な説明を適宜省略する。
【００３０】
端子８Ａ，８Ｂは、図１０〜図１３に示すように、端子３と同様の挟持部３１およびコンタクト部（本実施例では延板状のコンタクト部）３２を有している。また、コンタクト部３２の中央部には、当該中央部からコンタクト部３２の径方向外側に突出（図示上方側に突出）した返し部８０が形成され、図１３に示すようにコンタクト部３２を空間部Ｃ１側から仕切り壁Ｓ２１の保持孔Ｓ３に対し圧入して貫通させた状態で、当該返し部８０が仕切り壁Ｓ２１のコネクタ４側の内壁面８１（仕切り壁Ｓ２１の相手方端子側）に係止し、コンタクト部３２の保持孔Ｓ３に対する被保持位置が空間部Ｃ１側へ位置ズレしないように抑制できる構成となっている。
【００３１】
本実施例の返し部８０においては、特に図１１に示すように、コンタクト部３２の先端側（相手方端子側）から挟持部３１側にかけて当該コンタクト部３２の径方向外側（コンタクト部３２から離反する方向）に所望角度で傾斜しながら延在した舌片状であり、その傾斜角度が変化するように弾性変形できる形状となっている。このような返し部８０が形成されたコンタクト部３２を空間部Ｃ１側から仕切り壁Ｓ２１の保持孔Ｓ３に対し圧入して貫通させる場合、当該返し部８０は傾斜角度を小さくするように弾性変形（コンタクト部３２に近接する方向に弾性変形）しながら保持孔Ｓ３に圧入して、その保持孔Ｓ３を通過後は弾性復帰（前記所望角度で傾斜するように弾性復帰）する方向に変形し、当該返し部８０の延在方向側の先端（自由端）８０ａが仕切り壁Ｓ２１の内壁面８１（保持孔Ｓ３の開口縁）に係止する。
【００３２】
返し部８０と挟持部３１との間の距離ｔ２においては、仕切り壁Ｓ２１や保持孔Ｓ３の形状に応じて適宜設定することができ、例えば仕切り壁Ｓ２１の厚さ（保持孔Ｓ３の貫通長さ）ｔ３と距離ｔ２とが同等になるように設定する。これにより、コンタクト部３２は、前述のように保持孔Ｓ３に貫通させた場合、図１３に示すように、返し部８０と挟持部３１とにより仕切り壁Ｓ２１を挟持しながら保持孔Ｓ３に保持され、当該コンタクト部３２の保持孔Ｓ３に対する被保持位置の位置ズレ（空間部Ｃ１側への位置ズレだけでなく、保持孔Ｓ３の貫通方向に対する位置ズレ）が抑制される。
【００３３】
以上示したように、端子８は、端子３と同様の構成で返し部８０を有したものであるため、当該端子３と同様の作用効果を奏する他に、コンタクト部３２の保持孔Ｓ３に対する被保持位置の位置ズレが抑制される作用効果を奏する。
【００３４】
＜電子部品ユニット１０の組み付け例＞
以上示した電子部品ユニット１０においては、電子部品ユニット１と同様の方法により組み付けることが可能であり、図１〜図９に示したものと同様のものには同一符号を用いる等により、その詳細な説明を適宜省略する。
【００３５】
まず、図１１中の矢印に示すように、端子８のコンタクト部３２を移動させて、ハウジングユニットＨのケースＣにおける空間部Ｃ１側から接続部Ｓの保持孔Ｓ３に対し圧入し、コンタクト部３２の先端側が有底筒状側壁Ｓ２の軸心方向に沿って延在するように貫通させる。これにより、例えば図５に示した端子３と同様に、端子８が接続部Ｓの保持孔Ｓ３によって保持され、端子８の挟持部３１が仕切り壁Ｓ２１から空間部Ｃ１へ突出した状態となる。また、返し部８０の先端８０ａは仕切り壁Ｓ２１の内壁面８１に係止する。
【００３６】
次に、図５〜図７に基づいて前述したように、回路基板２をケースＣの空間部Ｃ１へ進入させて支持台Ｃ１３に支持すると共に端子８と導電部２１とを互いに電気的接続し、ケースＣとカバーＦとを互いに固定する。そして、コネクタ４を、接続口Ｓ１を介して接続部Ｓの有底筒状側壁Ｓ２内に収容するように移動させ、接続部Ｓのコンタクト部３２をコネクタ４のコネクタ端子４１で受容するように、例えば図８および図１３に示すように接続部Ｓと嵌合させる。これにより、回路基板２に対して電力を供給することができる。
【００３７】
端子８のように返し部８０の先端８０ａが仕切り壁Ｓ２１の内壁面８１に係止する構成であれば、コネクタ４と接続部Ｓとの嵌合の際の外力がコンタクト部３２にかかること（例えばコンタクト部３２とコネクタ端子４１との摩擦）があっても、コンタクト部３２の保持孔Ｓ３に対する被保持位置の位置ズレが抑制され、所望の接触信頼性を維持することが可能となる。
【００３８】
なお、例えば端子８の替わりに従来構成端子を適用した場合、前記の外力によりコンタクト部３２の保持孔Ｓ３に対する被保持位置が位置ズレし、回路基板２に対する係止位置が位置ズレしたり回路基板２の導電部２１等に衝撃がくわわることにもなり、接触信頼性が損なわれる可能性（導電部２１のクラックや導通不良等を起こす可能性）がある。また、ケースＣの空間部Ｃ１側に従来構成端子を保持する保持部（例えば特許文献４の保持部５３）を形成し、前記のような従来構成端子の保持位置の位置ズレを抑制できたとしても、ケースＣおよび回路基板２の各熱収縮率が異なる場合には、雰囲気温度の変化により、前記のように回路基板２に対する係止位置が位置ズレしたり回路基板２の導電部２１等に衝撃がくわわることにもなり、接触信頼性が損なわれる可能性がある。
【００３９】
＜その他＞
前記の端子３，８において、適用する個数は、例えば図１〜図９に示したような２個（一対）に限定されるものではなく、それぞれ目的とする電子部品ユニット１，１０に応じて適宜設定することが可能である。また、端子３，８において適用する個数が複数個の場合、各端子３，８それぞれに対応する各切り欠き部６が形成される位置において、バネ弾性部３１ａ，３１ｂの延在方向に向かって互い違いとなるように設定、例えば図１４に示すように回路基板２のコネクタ４側の周縁からの距離が異なるように設定し、それら互い違いの位置に湾曲部３４が係止するように、各挟持部３１におけるバネ弾性部３１ａ，３１ｂの延在距離もそれぞれ設定（回路基板２の周縁から中央部側に延在する方向の長さも互いに異なるように設定）することが挙げられる。このような構成により、ある一定の姿勢の場合（例えば、図１４に示すように回路基板２の端面２ａが図示上方側に向いた姿勢の場合）だけ、各端子３，８におけるバネ弾性部３１ａ，３１ｂの湾曲部３４を各々対応する切り欠き部６と係止させることができ、例えば端子３，８の誤組付などを認識し易く、当該誤組付を抑制することも可能となる。
【００４０】
また、図１５Ａに示すように、前記切り欠き部６の内側と、回路基板２の両端面２ａ，２ｂのうち少なくとも何れか一方の面における切り欠き部６の周縁側と、の間にテーパー面７１を形成しても良い。このようにテーパー面７１を形成することにより、湾曲部３４と切り欠き部６とが互いに係止し易く、また接点部３５の接触面積を確保し易くなるため、より十分な接触信頼性が得られることになる。
【００４１】
さらに、導電部２１においては、切り欠き部６と係止する湾曲部３４と接触して電気的接続できる形状であれば適宜設定でき、例えば図１１Ａ，Ｂに示すように、切り欠き部６の貫通面７の一部のみに形成したり、全面に亘って形成しても良い。
【００４２】
以上、本発明において、記載された具体例に対してのみ詳細に説明したが、本発明の技術思想の範囲で多彩な変更等が可能であることは、当業者にとって明白なことであり、このような変更等が特許請求の範囲に属することは当然のことである。
【００４３】
ここで、以上示した各実施例等から把握し得る請求項以外の技術的思想について、以下に列挙する。
＜イ＞切り欠き部の貫通面と、回路基板の両端面のうち少なくとも何れか一方の面における切り欠き部の周縁側と、の間にテーパー面が形成されたことを特徴とする請求項１〜３の何れかに記載の電子部品ユニット。
【符号の説明】
【００４４】
１，１０…電子部品ユニット
２…回路基板
２１…導電部
２ａ，２ｂ…端面
３（３Ａ，３Ｂ），８（８Ａ，８Ｂ）…基板接続用端子
３１…挟持部
３１ａ，３１ｂ…バネ弾性部
３２…コンタクト部
３３…支持部
３４…湾曲部
４…コネクタ
４１…コネクタ端子（相手方端子）
６（６ａ，６ｂ）…切り欠き部
７…貫通面
７１…テーパー面
８０…返し部
Ｓ２１…仕切り壁
ｔ１…挟持用間隙
【図１】
2015173089.tif 000003
【図２】
2015173089.tif 000004
【図３】
2015173089.tif 000005
【図４】
2015173089.tif 000006
【図５】
2015173089.tif 000007
【図６】
2015173089.tif 000008
【図７】
2015173089.tif 000009
【図８】
2015173089.tif 000010
【図９】
2015173089.tif 000011
【図１０】
2015173089.tif 000012
【図１１】
2015173089.tif 000013
【図１２】
2015173089.tif 000014
【図１３】
2015173089.tif 000015
【図１４】
2015173089.tif 000016
【図１５】
2015173089.tif 000017